(57)【要約】本開示は、指紋識別方法、装置、プログラム、記録媒体および移動端末に関する。指紋識別方法は、移動端末の現在の充電状態を取得するステップと、移動端末の現在の充電状態に応じて、指紋識別閾値を再設定するステップと、現在の指紋画像を取得し、現在の指紋画像の特徴情報を抽出するステップと、抽出された特徴情報および現在の指紋識別閾値に基づいて、指紋識別を行うステップと、を含む。本開示の実施例によれば、移動端末の現在の充電状態を取得し、移動端末の現在の充電状態に応じて、指紋識別閾値を再設定することにより、移動端末が異なる充電状態で同じ指紋識別率を有することができる。【選択図】図１
2017531890.tif 000002
【特許請求の範囲】
【請求項１】
移動端末の現在の充電状態を取得するステップと、
前記現在の充電状態に応じて、指紋識別閾値を再設定するステップと、
現在の指紋画像を取得し、前記現在の指紋画像の特徴情報を抽出するステップと、
前記特徴情報および現在の指紋識別閾値に基づいて、指紋識別を行うステップと、を含むことを特徴とする指紋識別方法。
【請求項２】
前記移動端末の現在の充電状態を取得するステップは、
移動端末システムから送信された前記現在の充電状態を受信するステップを含むことを特徴とする請求項１に記載の指紋識別方法。
【請求項３】
前記移動端末の現在の充電状態を取得するステップは、
前記移動端末の電源管理ユニット（ＰＭＵ）からハードウェア割り込み信号を取得し、前記ハードウェア割り込み信号から前記現在の充電状態を取得するステップを含むことを特徴とする請求項１に記載の指紋識別方法。
【請求項４】
前記特徴情報および現在の指紋識別閾値に基づいて、指紋識別を行うステップは、
前記特徴情報を予め記憶された検証特徴と照合するステップと、
照合結果が前記現在の指紋識別閾値に達したとき、指紋識別が成功とし、照合結果が前記現在の指紋識別閾値に達していないとき、指紋識別が失敗とするステップと、を含むことを特徴とする請求項１に記載の指紋識別方法。
【請求項５】
移動端末の現在の充電状態を取得するように構成される取得モジュールと、
前記取得モジュールから取得された前記現在の充電状態に応じて、指紋識別閾値を再設定するように構成される再設定モジュールと、
現在の指紋画像を取得し、前記現在の指紋画像の特徴情報を抽出するように構成される取得抽出モジュールと、
前記取得抽出モジュールによって抽出された前記特徴情報と前記再設定モジュールによって再設定された現在の指紋識別閾値とに基づいて、指紋識別を行うように構成される識別モジュールと、を備えることを特徴とする指紋識別装置。
【請求項６】
前記取得モジュールは、
移動端末システムから送信された前記現在の充電状態を受信するように構成される第１の取得サブモジュールを備えることを特徴とする請求項５に記載の指紋識別装置。
【請求項７】
前記取得モジュールは、
前記移動端末の電源管理ユニット（ＰＭＵ）からハードウェア割り込み信号を取得し、前記ハードウェア割り込み信号から前記現在の充電状態を取得するように構成される第２の取得サブモジュールを備えることを特徴とする請求項５に記載の指紋識別装置。
【請求項８】
前記識別モジュールは、
前記特徴情報を予め記憶された検証特徴と照合するように構成される照合サブモジュールと、
照合結果が前記現在の指紋識別閾値に達したとき、指紋識別が成功とし、照合結果が前記現在の指紋識別閾値に達していないとき、指紋識別が失敗とするように構成される識別サブモジュールと、を備えることを特徴とする請求項５に記載の指紋識別装置。
【請求項９】
電源管理ユニット（ＰＭＵ）と指紋識別集積回路と、を備え、
前記ＰＭＵは、ハードウェア割り込み信号を取得するように構成され、
前記指紋識別集積回路は、前記ＰＭＵからハードウェア割り込み信号を取得し、前記ハードウェア割り込み信号から現在の充電状態を取得し、前記現在の充電状態に応じて指紋識別閾値を再設定し、現在の指紋画像を取得し、前記現在の指紋画像の特徴情報を抽出し、前記特徴情報および現在の指紋識別閾値に基づいて、指紋識別を行うように構成されることを特徴とする移動端末。
【請求項１０】
前記指紋識別集積回路は、前記特徴情報を予め記憶された検証特徴と照合し、照合結果が前記現在の指紋識別閾値に達したとき、指紋識別が成功とし、照合結果が前記現在の指紋識別閾値に達していないとき、指紋識別が失敗とするように構成されることを特徴とする請求項９に記載の移動端末。
【請求項１１】
プロセッサと、
プロセッサの実行可能な指令を記憶するためのメモリと、を備え、
前記プロセッサは、
移動端末の現在の充電状態を取得し、
前記現在の充電状態に応じて、指紋識別閾値を再設定し、
現在の指紋画像を取得し、前記現在の指紋画像の特徴情報を抽出し、
前記特徴情報および現在の指紋識別閾値に基づいて、指紋識別を行うように構成されることを特徴とする指紋識別装置。
【発明の詳細な説明】
【技術分野】
【０００１】
本開示は、移動端末技術分野に関し、特に、指紋識別方法、装置および移動端末に関する。
【背景技術】
【０００２】
移動端末技術の急速な発展に伴い、携帯電話などの様々な移動端末が非常に普及しており、機能も増加しつつある。これらの新機能がユーザに多大の利便性を与え、深く愛用されている。例えば、現在、携帯電話が指紋識別仮想キーを有し、ユーザが当該仮想キーをタッチすることによって指紋識別を行うことができる。
【０００３】
現在、指紋識別仮想キーは、指紋識別センサをガラスカバーの下に設けてなされたものである。ユーザの指が指紋識別センサエリアにタッチすると、指紋識別センサは、指紋を認識するが、その感度が異なる状況に応じて異なる。例えば、指紋識別センサが指を識別する信号が携帯電話の異なる充電状態でのノイズ信号に影響されるため、指が指紋識別仮想キーにタッチした後、指紋識別センサで取得された指紋信号が異なる。しかし、指紋識別の閾値が固定であるため、指紋識別センサは、これらの状況で異なる感度を有する。それは、指紋識別回路が異なる状態で異なる指紋識別率を有することを招いてしまう。
【発明の概要】
【発明が解決しようとする課題】
【０００４】
関連技術に存在する問題を克服するために、本開示は、指紋識別方法、装置および移動端末を提供する。
【０００５】
本開示の実施例の第１の態様によれば、指紋識別方法を提供する。前記方法は、
移動端末の現在の充電状態を取得するステップと、
前記現在の充電状態に応じて、指紋識別閾値を再設定するステップと、
現在の指紋画像を取得し、前記現在の指紋画像の特徴情報を抽出するステップと、
前記特徴情報および現在の指紋識別閾値に基づいて、指紋識別を行うステップと、を含む。
【０００６】
ある実施例では、前記移動端末の現在の充電状態を取得するステップは、
移動端末システムから送信された前記現在の充電状態を受信するステップを含む。
【０００７】
ある実施例では、前記移動端末の現在の充電状態を取得するステップは、
前記移動端末の電源管理ユニット（ＰＭＵ）からハードウェア割り込み信号を取得し、前記ハードウェア割り込み信号から前記現在の充電状態を取得するステップを含む。
【０００８】
ある実施例では、前記特徴情報および現在の指紋識別閾値に基づいて、指紋識別を行うステップは、
前記特徴情報を予め記憶された検証特徴と照合するステップと、
照合結果が前記現在の指紋識別閾値に達したとき、指紋識別が成功とし、照合結果が前記現在の指紋識別閾値に達していないとき、指紋識別が失敗とするステップと、を含む。
【０００９】
本開示の実施例の第２の態様によれば、指紋識別装置を提供する。前記装置は、
移動端末の現在の充電状態を取得するように構成される取得モジュールと、
前記取得モジュールから取得された前記現在の充電状態に応じて、指紋識別閾値を再設定するように構成される再設定モジュールと、
現在の指紋画像を取得し、前記現在の指紋画像の特徴情報を抽出するようにに構成される取得抽出モジュールと、
前記取得抽出モジュールによって抽出された前記特徴情報と前記再設定モジュールによって再設定された現在の指紋識別閾値とに基づいて、指紋識別を行うように構成される識別モジュールと、を備える。
【００１０】
ある実施例では、前記取得モジュールは、
移動端末システムから送信された前記現在の充電状態を受信するように構成される第１の取得サブモジュールを備える。
【００１１】
ある実施例では、前記取得モジュールは、
前記移動端末の電源管理ユニット（ＰＭＵ）からハードウェア割り込み信号を取得し、前記ハードウェア割り込み信号から前記現在の充電状態を取得するように構成される第２の取得サブモジュールを備える。
【００１２】
ある実施例では、前記識別モジュールは、
前記特徴情報を予め記憶された検証特徴と照合するように構成される照合サブモジュールと、
照合結果が前記現在の指紋識別閾値に達したとき、指紋識別が成功とし、照合結果が前記現在の指紋識別閾値に達していないとき、指紋識別が失敗とするように構成される識別サブモジュールと、を備える。
【００１３】
本開示の実施例の第３の態様によれば、移動端末を提供する。前記移動端末は、
電源管理ユニット（ＰＭＵ）と指紋識別集積回路と、を備え、
前記ＰＭＵは、ハードウェア割り込み信号を取得するように構成され、
前記指紋識別集積回路は、前記ＰＭＵからハードウェア割り込み信号を取得し、前記ハードウェア割り込み信号から現在の充電状態を取得し、前記現在の充電状態に応じて指紋識別閾値を再設定し、現在の指紋画像を取得し、前記現在の指紋画像の特徴情報を抽出し、前記特徴情報および現在の指紋識別閾値に基づいて、指紋識別を行うように構成される。
【００１４】
ある実施例では、前記指紋識別集積回路は、前記特徴情報を予め記憶された検証特徴と照合し、照合結果が前記現在の指紋識別閾値に達したとき、指紋識別が成功とし、照合結果が前記現在の指紋識別閾値に達していないとき、指紋識別が失敗とするように構成される。
【００１５】
本開示の実施例の第４の態様によれば、指紋識別装置を提供する。前記装置は、
プロセッサと、
プロセッサの実行可能な指令を記憶するためのメモリと、を備え、
前記プロセッサは、
移動端末の現在の充電状態を取得し、
前記現在の充電状態に応じて、指紋識別閾値を再設定し、
現在の指紋画像を取得し、前記現在の指紋画像の特徴情報を抽出し、
前記特徴情報および現在の指紋識別閾値に基づいて、指紋識別を行うように構成される。
【発明の効果】
【００１６】
本開示の実施例による技術案は、以下の格別な作用効果を含むことができる。
【００１７】
移動端末の現在の充電状態を取得し、移動端末の現在の充電状態に応じて、指紋識別閾値を再設定することにより、移動端末が異なる充電状態で同じ指紋識別率を有すことができる。
【００１８】
移動端末システムから移動端末の現在の充電状態を取得することによって、指紋識別閾値を再設定することに有利な要素を与える。
【００１９】
移動端末のＰＭＵから移動端末の現在の充電状態を取得することによって、指紋識別閾値を再設定することに有利な要素を与える。
【００２０】
抽出された特徴情報を予め記憶された検証特徴と照合し、照合結果と現在の指紋識別閾値とを比較し、指紋識別結果を特定するため、実現方式は簡単になる。
【００２１】
上述した一般的な記述および後続の詳細な記述は、単に例示的および解釈的なものであり、本発明を制限できるものでないと理解されるべきである。
【図面の簡単な説明】
【００２２】
ここでの図面は、明細書を構成する一部として見なされ、本開示に適した実施例を示し、かつ、明細書の文字記載とともに本開示の仕組みを解釈するために用いられる。
【図１】本開示の一実施例による指紋識別方法を示すフローチャートである。
【図２ａ】本開示の一実施例による指紋識別方法を示すシーンビューである。
【図２ｂ】本開示の一実施例による指紋識別方法を示すシーンビューである。
【図３】本開示の一実施例による別の指紋識方法を示すフローチャートである。
【図４】本開示の一実施例によるさらに別の指紋識別方法を示すフローチャートである。
【図５】本開示の一実施例による指紋識別装置を示すブロック図である。
【図６】本開示の一実施例による別の指紋識別装置を示すブロック図である。
【図７】本開示の一実施例による別の指紋識別装置を示すブロック図である。
【図８】本開示の一実施例によるさらに別の指紋識別装置を示すブロック図である。
【図９】本開示の一実施例による移動端末を示すブロック図である。
【図１０】本開示の一実施例による指紋識別に適用される装置を示すブロック図である。
【発明を実施するための形態】
【００２３】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の局面と一致する装置および方法の例に過ぎない。
【００２４】
図１は、一実施例による指紋識別方法を示すフローチャートである。図１に示すように、当該指紋識別方法は、移動端末に適用可能であり、当該移動端末は、携帯電話、タブレットＰＣ（ＰＡＤ）などを含んでもよいが、それらに限定されない。当該指紋識別方法は、以下のステップＳ１０１-Ｓ１０４を含む。
【００２５】
ステップＳ１０１では、移動端末の現在の充電状態を取得する。
【００２６】
当該実施例では、移動端末をデータケーブルを通じて充電器と接続することによって、充電器から移動端末に電源を提供できる。また、データケーブルを通じてコンピュータなどのデバイスと接続することによって、データの伝送ができる。ただし、前記充電器が移動電源に置き換えられてもよい。
【００２７】
移動端末の現在の充電状態とは、移動端末をデータケーブルを通じて充電器と接続している状態を指す、また、データケーブルを通じてコンピュータなどのデバイスと接続している状態を指してもよい。
【００２８】
その中、移動端末の現在の充電状態を取得する方法は、
移動端末システムから送信された現在の充電状態を受信する第１の方式と、
移動端末の電源管理ユニット（ＰＭＵ）からハードウェア割り込み信号を取得し、ハードウェア割り込み信号から現在の充電状態を取得する第２の方式と、を含んでも良いが、それらに限定されない。
【００２９】
ステップＳ１０２では、移動端末の現在の充電状態に応じて、指紋識別閾値を再設定する。
【００３０】
当該移動端末の現在の充電状態が取得された後、現在の充電状態に応じて、指紋識別閾値を再設定することにより、異なる状態で同じ指紋識別率を有することが実現する。
【００３１】
ステップＳ１０３では、現在の指紋画像を取得し、現在の指紋画像の特徴情報を抽出する。
【００３２】
当該実施例では、ユーザの指が指紋識別仮想キーにタッチした後、移動端末の指紋識別集積回路（ＩＣ）が指紋識別センサから現在の指紋画像を取得し、現在の指紋画像の特徴情報を抽出する。
【００３３】
説明必要なことは、ステップＳ１０３とステップＳ１０１-１０２が厳密な前後実行順序がない。
【００３４】
ステップＳ１０４では、抽出された特徴情報と現在の指紋識別閾値とに基づいて、指紋識別を行う。
【００３５】
当該実施例では、取得された指紋画像の特徴情報を予め記憶された検証特徴と照合し、照合結果が現在の指紋識別閾値に達したとき、指紋識別が成功とし、照合結果が現在の指紋識別閾値に達していないとき、指紋識別が失敗とする。
【００３６】
上記指紋識別方法実施例では、移動端末の現在の充電状態を取得し、移動端末の現在の充電状態に応じて、指紋識別閾値を再設定することにより、移動端末が異なる充電状態で同じ指紋識別率を有することができる。
【００３７】
下記に図２ａ-図２ｂに合わせて本開示の実施例について説明する。図２ａに示すように、ユーザが移動電源２１を使って携帯電話２２に充電するとき、携帯電話２２が現在の充電状態を取得し、現在の充電状態に応じて、指紋識別閾値を再設定する。そして、ユーザが携帯電話２２の指紋識別仮想キーにタッチしたとき、移動端末の指紋識別集積回路が指紋識別センサからユーザの現在の指紋画像を取得し、現在の指紋画像の特徴情報を抽出し、最後、現在の指紋画像の特徴情報と現在の指紋識別閾値とに基づいて、指紋識別を行う。図２ｂに示すように、ユーザが携帯電話２２とノートパソコン２３をＵＳＢデータケーブルを介して接続しているとき、携帯電話２２が現在の充電状態を取得し、現在の充電状態に応じて、指紋識別閾値を再設定する。そして、ユーザが携帯電話２２の指紋識別仮想キーにタッチしたとき、移動端末の指紋識別集積回路が指紋識別センサからユーザの現在の指紋画像を取得し、現在の指紋画像の特徴情報を抽出し、最後現在の指紋画像の特徴情報と現在の指紋識別閾値とに基づいて、指紋識別を行う。図２ａと図２ｂは二つの異なる充電状態を示しているが、同じ指紋識別成功率を有することできる。
【００３８】
図３は、本開示の一実施例による別の指紋識方法を示すフローチャートである。図３に示すように、当該方法は、下記のようにステップＳ３０１-Ｓ３０５を含む。
【００３９】
ステップＳ３０１では、移動端末システムから送信された移動端末の現在の充電状態を受信する。
【００４０】
当該実施例では、移動端末、例えば、携帯電話がデータケーブルを通じて充電器と接続された後、移動端末システムは、通信チャネルを介して充電（ｃｈａｒｇｅｒ）信号を指紋識別ＩＣに送る。
【００４１】
ステップＳ３０２では、当該移動端末の現在の充電状態に応じて、指紋識別閾値を再設定する。
【００４２】
当該充電信号に応じて、指紋識別閾値を再設定する。
【００４３】
ステップＳ３０３では、現在の指紋画像を取得し、現在の指紋画像の特徴情報を抽出する。
【００４４】
当該実施例では、指紋識別ＩＣがセンサから現在の指紋画像を取得し、現在の指紋画像の特徴情報を抽出する。
【００４５】
ステップＳ３０４では、抽出された現在の指紋画像の特徴情報を予め記憶された検証特徴と照合する。
【００４６】
その中、検証特徴は、予め移動端末に記憶された。
【００４７】
ステップＳ３０５では、照合結果が現在の指紋識別閾値に達したとき、指紋識別が成功とし、照合結果が現在の指紋識別閾値に達していないとき、指紋識別が失敗とする。
【００４８】
上記実施例は、移動端末システムから移動端末の現在の充電状態を取得することによって、指紋識別閾値を再設定することに有利な要素を与える。
【００４９】
図４は、本開示の一実施例によるさらに別の指紋識別方法を示すフローチャートである。図４に示すように、当該方法は、下記のようにステップＳ４０１-Ｓ４０５を含む。
【００５０】
ステップＳ４０１では、移動端末のＰＭＵからハードウェア割り込み信号を取得し、ハードウェア割り込み信号から現在の充電状態を取得する。
【００５１】
当該実施例では、移動端末、例えば、携帯電話がデータケーブルを通じてコンピュータと接続された後、移動端末システムがＰＭＵを通じてハードウェア割り込み信号を取得し、ハードウェア割り込み信号からＵＳＢ信号を取得する。
【００５２】
ステップＳ４０２では、当該移動端末の現在の充電状態に応じて、指紋識別閾値を再設定する。
【００５３】
当該ＵＳＢ信号に応じて、指紋識別閾値を再設定する。
【００５４】
ステップＳ４０３では、現在の指紋画像を取得し、現在の指紋画像の特徴情報を抽出する。
【００５５】
当該実施例では、指紋識別ＩＣがセンサから現在の指紋画像を取得し、現在の指紋画像の特徴情報を抽出する。
【００５６】
ステップＳ４０４では、抽出された現在の指紋画像の特徴情報を予め記憶された検証特徴と照合する。
【００５７】
その中、検証特徴は、予め移動端末に記憶された。
【００５８】
ステップＳ４０５では、照合結果が現在の指紋識別閾値に達したとき、指紋識別が成功とし、照合結果が現在の指紋識別閾値に達していないとき、指紋識別が失敗とする。
【００５９】
上記実施例では、移動端末のＰＭＵから移動端末の現在の充電状態を取得することによって、指紋識別閾値を再設定することに有利な要素を与える。
【００６０】
前記指紋識別方法の実施例に対応して、本開示は、さらに指紋識別装置の実施例を提供する。
【００６１】
図５は、本開示の一実施例による指紋識別装置を示すブロック図である。図５に示すように、指紋識別装置は、取得モジュール５１と、再設定モジュール５２と、取得抽出モジュール５３と、識別モジュール５４と、を備える。
【００６２】
取得モジュール５１は、移動端末の現在の充電状態を取得するように構成される。
【００６３】
再設定モジュール５２は、取得モジュール５１から取得された現在の充電状態に応じて、指紋識別閾値を再設定するように構成される。
【００６４】
取得抽出モジュール５３は、現在の指紋画像を取得し、現在の指紋画像の特徴情報を抽出するように構成される。
【００６５】
識別モジュール５４は、取得抽出モジュール５３によって抽出された特徴情報と再設定モジュール５２によって再設定された現在の指紋識別閾値とに基づいて、指紋識別を行うように構成される。
【００６６】
図５に示す装置が指紋識別を実施する手順は、図１に示す方法実施例を参照すればよいため、ここで詳しく記述しない。
【００６７】
上記指紋識別方法実施例では、取得モジュールを介して移動端末の現在の充電状態を取得し、再設定モジュールを介して移動端末の現在の充電状態に応じて指紋識別閾値を再設定するにより、移動端末が異なる充電状態で同じ指紋識別率を有することができる。
【００６８】
図６は、本開示の一実施例による別の指紋識別装置を示すブロック図である。図６に示すように、上記図５に示す実施例に加えて、取得モジュール５１は、
【００６９】
移動端末システムから送信された現在の充電状態を受信するように構成される第１の取得サブモジュール５１１を備えてもよい。
【００７０】
図６に示す装置が指紋識別を実現する手順は、図３に示す方法実施例の対応する部分を参照すればよいため、ここで詳しく記述しない。
【００７１】
上記実施例では、移動端末システムから移動端末の現在の充電状態を取得することによって、指紋識別閾値を再設定することに有利な要素を与える。
【００７２】
図７は、本開示の一実施例による別の指紋識別装置を示すブロック図である。図７に示すように、上記図５に示す実施例に加えて、取得モジュール５１は、
移動端末の電源管理ユニット（ＰＭＵ）からハードウェア割り込み信号を取得し、ハードウェア割り込み信号から現在の充電状態を取得するするように構成される第２の取得サブモジュール５１２を備えてもよい。
【００７３】
図７に示す装置が指紋識別を実現する手順は、図４に示す方法実施例の対応する部分を参照すればよいため、ここで詳しく記述しない。
【００７４】
上記実施例では、移動端末のＰＭＵから移動端末の現在の充電状態を取得することによって、指紋識別閾値を再設定することに有利な要素を与える。
【００７５】
図８は、本開示の一実施例によるさらに別の指紋識別装置を示すブロック図である。図８に示すように、上記図５に示す実施例に加えて、識別モジュール５４は、照合サブモジュール５４１及び識別サブモジュール５４２を備える。
【００７６】
照合サブモジュール５４１は、抽出された特徴情報を予め記憶された験証特徴と照合するように構成される。
【００７７】
識別サブモジュール５４２は、照合結果が現在の指紋識別閾値に達したとき、指紋識別が成功とし、照合結果が現在の指紋識別閾値に達していないとき、指紋識別が失敗とするように構成される。
【００７８】
図８に示す装置が指紋識別を実現する手順は、図１、図３、または図４に示す方法実施例の対応する部分を参照すればよいため、ここで詳しく記述しない。
【００７９】
上記実施例では、抽出された特徴情報を予め記憶された検証特徴と照合し、照合結果と現在の指紋識別閾値とを比較し、指紋識別結果を特定するため、実現方式は簡単になる。
【００８０】
上記実施例での装置に関して、その中の各モジュールやサブモジュールが操作を実行する具体的な方式が当該方法に関連する実施例で詳細に記述されたため、ここで詳しい記述及び説明を行わない。
【００８１】
図９は、本開示の一実施例による移動端末を示すブロック図である。図９に示すように、当該移動端末は、ＰＭＵ９１及び指紋識別集積回路９２を備える。
【００８２】
ＰＭＵ９１は、ハードウェア割り込み信号を取得するように構成される。
【００８３】
指紋識別集積回路９２は、ＰＭＵからハードウェア割り込み信号を取得し、ハードウェア割り込み信号から現在の充電状態を取得し、現在の充電状態に応じて、指紋識別閾値を再設定し、現在の指紋画像を取得し、現在の指紋画像の特徴情報を抽出し、特徴情報および現在の指紋識別閾値に基づいて、指紋識別を行うように構成される。
【００８４】
ある実施例では、指紋識別集積回路９２は、特徴情報を予め記憶された検証特徴と照合し、照合結果が現在の指紋識別閾値に達したとき、指紋識別が成功とし、照合結果が現在の指紋識別閾値に達していないとき、指紋識別が失敗とするように構成されてもよい。
【００８５】
図９に示す移動端末が指紋識別を実現する手順は、図４に示す方法実施例を参照すればよいため、ここで詳しく記述しない。
【００８６】
上記実施例では、移動端末のＰＭＵから移動端末の現在の充電状態を取得し、移動端末の現在の充電状態に応じて、指紋識別閾値を再設定するため、移動端末が異なる充電状態で異なる指紋識別率を有することができる。
【００８７】
図１０は、本開示の一実施例による指紋識別に適用される装置を示すブロック図である。例えば、装置１０００は、携帯電話、コンピュータ、デジタル放送端末、メッセージ送受信機器、ゲームコンソール、タブレットデバイス、医療設備、フィットネス機器、ＰＤＡ、エアクラフトなどであってもよい。
【００８８】
図１０を参照すると、装置１０００は、以下の１つ又は複数のユニット、すなわち、処理ユニット１００２、メモリ１００４、電源ユニット１００６、マルチメディアユニット１００８、オーディオユニット１０１０、入力/出力（Ｉ/ Ｏ）インターフェース１０１２、センサユニット１０１４及び通信ユニット１０１６を備えても良い。
【００８９】
処理ユニット１００２は、通常、装置１０００の全般操作、例えば、表示、電話発信、データ通信、カメラ操作及び記録操作に関連する操作を制御する。処理ユニット１００２は、前記方法のステップの全部又は一部を実行するように、指令を実行する１つ又は複数のプロセッサ１０２０を備えてもよい。また、処理ユニット１００２は、処理ユニット１００２と他のユニットとの間の相互作用を容易にするように、１つ又は複数のモジュールを備えてもよい。例えば、処理ユニット１００２は、マルチメディアユニット１００８と処理ユニット１００２との間の相互作用を容易にするように、マルチメディアモジュールを備えてもよい。
【００９０】
メモリ１００４は、装置１０００での操作をサポートするために、各種別のデータを記憶するように構成される。これらのデータの例示は、装置１０００で操作する如何なるアプリケーションプログラムまたは方法の指令、連絡人データ、電話帳データ、メッセージ、ピクチャ、映像などを含む。メモリ１００４は、如何なる種別の揮発性もしくは不揮発性記憶デバイスまたはそれらの組合せ、例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクによって実現されてもよい。
【００９１】
電源ユニット１００６は、装置１０００のユニットのそれぞれに電力を供給する。電源ユニット１００６は、電源管理システム、１つまたは複数の電源、並びに、装置１０００用の電力を生成、管理および配分するに関する他のユニットを含んでもよい。
【００９２】
マルチメディアユニット１００８は、前記装置１０００とユーザとの間に1つの出力インターフェースを供給するスクリーンを備える。一部の実施例では、スクリーンは、液晶ディスプレイ（ＬＣＤ）およびタッチパネル（ＴＰ）を含んでも良い。スクリーンは、タッチパネルを含む場合、ユーザからの入力信号を受信するように、タッチスクリーンとして実現されてもよい。タッチパネルは、タッチ、スライドおよびタッチパネルでのジェスチャーを感知するように、１つまたは複数のタッチセンサを含む。前記タッチセンサは、タッチまたはスライド動作の境界を感知するだけではなく、前記タッチまたはスライド操作と関連する持続時間および圧力をさらに検出することができる。一部の実施例では、マルチメディアユニット１００８は、１つのフロントカメラおよび/またはバックカメラを含む。装置１０００が操作モード、例えば、撮像モードまたは映像モードにあるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【００９３】
オーディオユニット１０１０は、オーディオ信号を出力および/または入力するように構成される。例えば、オーディオユニット１０１０は、マイク（ＭＩＣ）を備え、装置１０００が操作モード、例えば、発呼モード、記録モードおよび音声識別モードにあるとき、マイクは、外部オーディオ信号を受信するように構成される。受信されたオーディオ信号は、さらに、メモリ１００４に記憶される、または、通信ユニット１０１６を介して送信されることができる。一部の実施例では、オーディオユニット１０１０は、さらに、オーディオ信号を出力するためのスピーカをさらに含む。
【００９４】
Ｉ/Ｏインターフェース１０１２は、処理ユニット１００２とペリフェラルインターフェースモジュールとの間でインターフェースを供給するものであり、前記ペリフェラルインターフェースモジュールは、キーボード、クリックホイール、ボタンなどであってもよい。これらのボタンは、ホームページボタン、ボリュームボタン、起動ボタンおよびロックボタンを含んでも良いが、それらに限定されない。
【００９５】
センサユニット１０１４は、様々な側面での状態推定を装置１０００に供給するための１つまたは複数のセンサを含む。例えば、センサユニット１０１４は、装置１０００のオン/オフ状態、ユニットの相対位置を検出することができ、例えば、前記ユニットは、装置１０００のディスプレイおよびキーパッドである。センサユニット１０１４は、さらに、装置１０００もしくは装置１０００の１つのユニットの位置変更、ユーザと装置１０００との接触の存在もしくは不存在、装置１０００の方位または加速/減速および装置１０００の温度変化をさらに検出することができる。センサユニット１０１４は、如何なる物理的接触もないとき、近辺にある物体の存在を検出するための近接センサを含んでもよい。センサユニット１０１４は、さらに、イメージングアプリケーションに使用される光センサ、例えばＣＭＯＳまたはＣＣＤ画像センサを含んでも良い。一部の実施例では、当該センサユニット１０１４は、さらに、加速度センサ、ジャイロセンサ、磁気センサ、圧力センサまたは温度センサを含んでも良い。
【００９６】
通信ユニット１０１６は、装置１０００と他の機器間の無線または有線方式の通信が便利になるように構成される。装置１０００は、通信規格に基づく無線ネットワーク、例えば、ＷｉＦｉ、２Ｇもしくは３Ｇ、またはそれらの組合せにアクセスすることができる。ある実施例では、通信ユニット１０１６は、外部ブロードキャスト管理システムからのブロードキャスト信号またはブロードキャスト関連情報をブロードキャストチャネルを介して受信する。ある実施例では、前記通信ユニット１０１６は、さらに、短距離通信を容易にするように、ニアフィールド通信（ＮＦＣ）モジュールを含んでも良い。例えば、ＮＦＣモジュールでは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【００９７】
実施例では、装置１０００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【００９８】
実施例では、指令を含む非一時的コンピュータ読み取り可能な記憶媒体、例えば、指令を含むメモリ１００４をさらに提供し、上記指令が装置１０００のプロセッサ１０２０によって実行されることで上述した方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フロッピーディスクおよび光データ記憶機器などであっても良い。
【００９９】
当業者は明細書を考慮し、ここに公開された開示を実践した後、本開示の他の実施案を容易に想到する。本願は、本開示の如何なる変形、用途または適応的変化もカバーすることを意図する。これらの変形、用途または適応的変化は、本開示の一般的な仕組みに従い、かつ、本開示に開示されていない当分野における公知常識または慣用技術手段を含む。明細書および実施例は単なる例示と見なされ、本開示の本当の範囲および思想は添付の特許請求の範囲によって与えられる。
【０１００】
本開示が以上で記述されて図面に示された正確な構造に限定されるものでなく、その要旨を逸脱しない範囲で様々な補正や変更も可能であることは理解されるべきである。本開示の範囲は、添付する特許請求の範囲のみによって限定される。
【０１０１】
本発明は、出願番号が２０１５１０５５６７５９.２であり、出願日が２０１５年０９月０２である中国特許出願を基に提出するものであり、当該中国特許出願の優先権を主張し、当該中国特許出願の全てのコンテンツは、参照のため本願に援用される。
【図１】
2017531890.tif 000003
【図２ａ】
2017531890.tif 000004
【図２ｂ】
2017531890.tif 000005
【図３】
2017531890.tif 000006
【図４】
2017531890.tif 000007
【図５】
2017531890.tif 000008
【図６】
2017531890.tif 000009
【図７】
2017531890.tif 000010
【図８】
2017531890.tif 000011
【図９】
2017531890.tif 000012
【図１０】
2017531890.tif 000013
【手続補正書】
【提出日】平成28年2月24日(2016.2.24)
【手続補正２】
【補正対象書類名】明細書
【補正対象項目名】０００１
【補正方法】変更
【補正の内容】
【０００１】
本開示は、移動端末技術分野に関し、特に、指紋識別方法、装置、プログラム、記録媒体および移動端末に関する。
【手続補正３】
【補正対象書類名】明細書
【補正対象項目名】０００４
【補正方法】変更
【補正の内容】
【０００４】
関連技術に存在する問題を克服するために、本開示は、指紋識別方法、装置、プログラム、記録媒体および移動端末を提供する。
【手続補正４】
【補正対象書類名】明細書
【補正対象項目名】００１５
【補正方法】変更
【補正の内容】
【００１５】
本開示の実施例の第４の態様によれば、指紋識別装置を提供する。前記装置は、
プロセッサと、
プロセッサの実行可能な指令を記憶するためのメモリと、を備え、
前記プロセッサは、
移動端末の現在の充電状態を取得し、
前記現在の充電状態に応じて、指紋識別閾値を再設定し、
現在の指紋画像を取得し、前記現在の指紋画像の特徴情報を抽出し、
前記特徴情報および現在の指紋識別閾値に基づいて、指紋識別を行うように構成される。
本開示の実施例の第５の態様によれば、プロセッサに実行されることにより、本開示の実施例の第１の態様に記載の指紋識別方法を実現するプログラムを提供する。
本開示の実施例の第６の態様によれば、本開示の実施例の第５の態様に記載のプログラムが記録された記録媒体を提供する。
【手続補正５】
【補正対象書類名】特許請求の範囲
【補正対象項目名】全文
【補正方法】変更
【補正の内容】
【特許請求の範囲】
【請求項１】
移動端末の現在の充電状態を取得するステップと、
前記現在の充電状態に応じて、指紋識別閾値を再設定するステップと、
現在の指紋画像を取得し、前記現在の指紋画像の特徴情報を抽出するステップと、
前記特徴情報および現在の指紋識別閾値に基づいて、指紋識別を行うステップと、を含むことを特徴とする指紋識別方法。
【請求項２】
前記移動端末の現在の充電状態を取得するステップは、
移動端末システムから送信された前記現在の充電状態を受信するステップを含むことを特徴とする請求項１に記載の指紋識別方法。
【請求項３】
前記移動端末の現在の充電状態を取得するステップは、
前記移動端末の電源管理ユニット（ＰＭＵ）からハードウェア割り込み信号を取得し、前記ハードウェア割り込み信号から前記現在の充電状態を取得するステップを含むことを特徴とする請求項１に記載の指紋識別方法。
【請求項４】
前記特徴情報および現在の指紋識別閾値に基づいて、指紋識別を行うステップは、
前記特徴情報を予め記憶された検証特徴と照合するステップと、
照合結果が前記現在の指紋識別閾値に達したとき、指紋識別が成功とし、照合結果が前記現在の指紋識別閾値に達していないとき、指紋識別が失敗とするステップと、を含むことを特徴とする請求項１に記載の指紋識別方法。
【請求項５】
移動端末の現在の充電状態を取得するように構成される取得モジュールと、
前記取得モジュールから取得された前記現在の充電状態に応じて、指紋識別閾値を再設定するように構成される再設定モジュールと、
現在の指紋画像を取得し、前記現在の指紋画像の特徴情報を抽出するように構成される取得抽出モジュールと、
前記取得抽出モジュールによって抽出された前記特徴情報と前記再設定モジュールによって再設定された現在の指紋識別閾値とに基づいて、指紋識別を行うように構成される識別モジュールと、を備えることを特徴とする指紋識別装置。
【請求項６】
前記取得モジュールは、
移動端末システムから送信された前記現在の充電状態を受信するように構成される第１の取得サブモジュールを備えることを特徴とする請求項５に記載の指紋識別装置。
【請求項７】
前記取得モジュールは、
前記移動端末の電源管理ユニット（ＰＭＵ）からハードウェア割り込み信号を取得し、前記ハードウェア割り込み信号から前記現在の充電状態を取得するように構成される第２の取得サブモジュールを備えることを特徴とする請求項５に記載の指紋識別装置。
【請求項８】
前記識別モジュールは、
前記特徴情報を予め記憶された検証特徴と照合するように構成される照合サブモジュールと、
照合結果が前記現在の指紋識別閾値に達したとき、指紋識別が成功とし、照合結果が前記現在の指紋識別閾値に達していないとき、指紋識別が失敗とするように構成される識別サブモジュールと、を備えることを特徴とする請求項５に記載の指紋識別装置。
【請求項９】
電源管理ユニット（ＰＭＵ）と指紋識別集積回路と、を備え、
前記ＰＭＵは、ハードウェア割り込み信号を取得するように構成され、
前記指紋識別集積回路は、前記ＰＭＵからハードウェア割り込み信号を取得し、前記ハードウェア割り込み信号から現在の充電状態を取得し、前記現在の充電状態に応じて指紋識別閾値を再設定し、現在の指紋画像を取得し、前記現在の指紋画像の特徴情報を抽出し、前記特徴情報および現在の指紋識別閾値に基づいて、指紋識別を行うように構成されることを特徴とする移動端末。
【請求項１０】
前記指紋識別集積回路は、前記特徴情報を予め記憶された検証特徴と照合し、照合結果が前記現在の指紋識別閾値に達したとき、指紋識別が成功とし、照合結果が前記現在の指紋識別閾値に達していないとき、指紋識別が失敗とするように構成されることを特徴とする請求項９に記載の移動端末。
【請求項１１】
プロセッサと、
プロセッサの実行可能な指令を記憶するためのメモリと、を備え、
前記プロセッサは、
移動端末の現在の充電状態を取得し、
前記現在の充電状態に応じて、指紋識別閾値を再設定し、
現在の指紋画像を取得し、前記現在の指紋画像の特徴情報を抽出し、
前記特徴情報および現在の指紋識別閾値に基づいて、指紋識別を行うように構成されることを特徴とする指紋識別装置。
【請求項１２】
プロセッサに実行されることにより、請求項１から請求項４のいずれか１項に記載の指紋識別方法を実現することを特徴とするプログラム。
【請求項１３】
請求項１２に記載のプログラムが記録された記録媒体。
【国際調査報告】
2017531890.tif 000014
2017531890.tif 000015
2017531890.tif 000016
2017531890.tif 000017
2017531890.tif 000018
2017531890.tif 000019